(57)【要約】【課題】照明負荷の点灯状態をより安定して維持することが可能な調光装置を提供する。【解決手段】調光装置１０は、一対の端子１，２と、一対の端子１，２間に接続された開閉部３と、開閉部３を制御する制御部４と、制御部４に電力を供給する電源部５と、開閉部３の導通角を設定する設定部６とを備える。開閉部３は、スイッチング素子７を備える。制御部４は、スイッチング素子７を駆動する駆動回路８と、交流電圧Ｖａのゼロクロスを検出するゼロクロス検出回路９と、設定部６により設定された開閉部３の導通角に対応するオンデューティ比を含むＰＷＭ信号Ｓ１を駆動回路８へ出力する出力回路１１とを備える。制御部４は、前記照明負荷を逆位相制御するように構成されている。出力回路１１は、ゼロクロス検出回路９により交流電圧Ｖａのゼロクロスが検出された時点から所定期間Ｔ１が経過した後、ＰＷＭ信号Ｓ１を駆動回路８へ出力するように構成されている。【選択図】図１
2015198074.tif 000002
【特許請求の範囲】
【請求項１】
一対の端子と、前記一対の端子間に接続された開閉部と、前記開閉部を制御する制御部と、前記一対の端子間に接続され前記制御部に電力を供給する電源部と、前記開閉部の導通角を設定する設定部とを備え、
前記開閉部は、ノーマリオフ型のスイッチング素子を備え、
前記制御部は、前記スイッチング素子を駆動する駆動回路と、交流電圧を出力する交流電源と照明負荷との直列回路が前記一対の端子間に接続されたときに前記交流電圧のゼロクロスを検出するゼロクロス検出回路と、前記設定部により設定された前記開閉部の導通角に対応するオンデューティ比を含むＰＷＭ信号を前記駆動回路へ出力する出力回路とを備え、
前記制御部は、前記開閉部を制御することで前記照明負荷を逆位相制御するように構成され、
前記出力回路は、前記ゼロクロス検出回路により前記交流電圧のゼロクロスが検出された時点から所定期間が経過した後、前記ＰＷＭ信号を前記駆動回路へ出力するように構成されている
ことを特徴とする調光装置。
【請求項２】
前記出力回路は、前記電源部から出力された電圧を検出する第１検出回路を備え、
前記出力回路は、前記第１検出回路により検出された前記電圧の電圧値が予め設定された第１閾値以下の場合、前記所定期間を、前記電圧値が前記第１閾値よりも大きい場合における前記所定期間よりも長くする
ことを特徴とする請求項１記載の調光装置。
【請求項３】
前記電源部は、前記交流電圧を全波整流する整流回路と、前記整流回路により全波整流された電圧から第１直流電圧を生成する定電圧回路と、前記第１直流電圧が充電されるコンデンサとを備え、
前記第１検出回路は、前記コンデンサの両端電圧を検出するように構成されている
ことを特徴とする請求項２記載の調光装置。
【請求項４】
前記設定部は、前記開閉部の導通角に対応する第２直流電圧を設定するための抵抗値を可変とする可変抵抗器を備え、
前記出力回路は、前記可変抵抗器により設定された前記第２直流電圧を検出する第２検出回路を備え、
前記出力回路は、前記第２検出回路により検出された前記第２直流電圧の電圧値が予め設定された第２閾値以下の場合、前記所定期間を、前記電圧値が前記第２閾値よりも大きい場合における前記所定期間よりも短くする
ことを特徴とする請求項１記載の調光装置。
【発明の詳細な説明】
【技術分野】
【０００１】
本発明は、照明負荷を調光する調光装置に関する。
【背景技術】
【０００２】
従来、照明負荷を調光する調光装置が知られている（例えば、特許文献１）。
【０００３】
特許文献１に記載された調光装置は、一対の端子と、制御回路部と、制御回路部に制御電源を供給する制御電源部と、照明負荷の調光レベルを設定する調光操作部とを備えている。
【０００４】
一対の端子間には、制御回路部および制御電源部それぞれが並列に接続されている。また、一対の端子間には、交流電源と照明負荷との直列回路が接続される。照明負荷は、複数のＬＥＤ（Light Emitting Diode）素子と、各ＬＥＤ素子を点灯させる電源回路とを備えている。電源回路は、ダイオードと電解コンデンサとの平滑回路を備えている。
【０００５】
制御回路部は、照明負荷に供給する交流電圧を位相制御するスイッチ部と、スイッチ部を駆動するスイッチドライブ部と、スイッチドライブ部および制御電源部を制御する制御部とを備えている。
【０００６】
制御電源部は、スイッチ部に並列に接続されている。制御電源部は、交流電源の交流電圧を制御電源に変換する。制御電源部は、制御電源を蓄積する電解コンデンサを備えている。
【０００７】
制御部は、制御電源部から電解コンデンサを通じて制御電源が供給される。制御部は、マイクロコンピュータ（以下、「マイコン」）を備えている。マイコンは、調光操作部で設定された調光レベルに応じて、交流電圧の半サイクル毎の期間途中で、照明負荷への給電を遮断する逆位相制御を行う。
【０００８】
また、従来、この種の調光装置として、２線式逆位相制御装置が提案されている（例えば、特許文献２）。
【０００９】
特許文献２に記載された２線式逆位相制御装置は、主電流スイッチング回路と、調光可変パルス遅延回路と、直流電源生成回路とを備えている。
【００１０】
主電流スイッチング回路は、主電流回路と、逆直接接続された２つのＭＯＳＦＥＴとを備えている。逆直列接続された２つのＭＯＳＦＥＴは、交流電源と照明負荷との直列回路と並列に接続される。調光可変パルス遅延回路は、各ＭＯＳＦＥＴのゲート電荷を放電するタイミングを決定するように構成されている。直流電源生成回路は、抵抗とコンデンサとの積分回路により構成されている。また、直流電源生成部は、コンデンサの両端電圧に生成された直流電源を調光可変パルス遅延回路に供給するように構成されている。
【先行技術文献】
【特許文献】
【００１１】
【特許文献１】特開２０１３−１４９４９８号公報
【特許文献２】特開２０１１−２３８３５３号公報
【発明の概要】
【発明が解決しようとする課題】
【００１２】
特許文献１に記載された調光装置（以下、「調光装置」）における制御部のマイコンは、照明負荷を逆位相制御する。そのため、調光装置では、交流電源の交流電圧の絶対値がゼロ以外のときに、スイッチ部が導通状態から遮断状態となり、スイッチ部が遮断状態から導通状態となるまでの期間のうちの所定期間に、制御電源部の電解コンデンサに制御電源が蓄積される。また、特許文献２に記載された２線式逆位相制御装置では、各ＭＯＳＦＥＴが遮断状態から導通状態になるまでの全期間で、直流電源生成回路のコンデンサが充電される。
【００１３】
しかしながら、調光装置では、交流電源と照明負荷との直列回路を一対の端子間に接続すると、照明負荷に平滑回路が設けられているため、スイッチ部が遮断状態のときに、スイッチ部の導通角によっては照明負荷に電流が流れない場合があり、電解コンデンサに制御電源が十分に蓄積されていない可能性がある。これにより、調光装置では、制御部によりスイッチングドライブ部を制御する動作が不安定になる可能性があり、照明負荷の点灯状態を維持できない可能性がある。
【００１４】
本発明の目的は、照明負荷の点灯状態を、より安定して維持することが可能な調光装置を提供することにある。
【課題を解決するための手段】
【００１５】
本発明の調光装置は、一対の端子と、前記一対の端子間に接続された開閉部と、前記開閉部を制御する制御部と、前記一対の端子間に接続され前記制御部に電力を供給する電源部と、前記開閉部の導通角を設定する設定部とを備えている。前記開閉部は、ノーマリオフ型のスイッチング素子を備えている。前記制御部は、前記スイッチング素子を駆動する駆動回路と、交流電圧を出力する交流電源と照明負荷との直列回路が前記一対の端子間に接続されたときに前記交流電圧のゼロクロスを検出するゼロクロス検出回路と、前記設定部により設定された前記開閉部の導通角に対応するオンデューティ比を含むＰＷＭ信号を前記駆動回路へ出力する出力回路とを備えている。前記制御部は、前記開閉部を制御することで前記照明負荷を逆位相制御するように構成されている。前記出力回路は、前記ゼロクロス検出回路により前記交流電圧のゼロクロスが検出された時点から所定期間が経過した後、前記ＰＷＭ信号を前記駆動回路へ出力するように構成されている。
【００１６】
この調光装置において、前記出力回路は、前記電源部から出力された電圧を検出する第１検出回路を備え、前記出力回路は、前記第１検出回路により検出された前記電圧の電圧値が予め設定された第１閾値以下の場合、前記所定期間を、前記電圧値が前記第１閾値よりも大きい場合における前記所定期間よりも長くすることが好ましい。
【００１７】
この調光装置において、前記電源部は、前記交流電圧を全波整流する整流回路と、前記整流回路により全波整流された電圧から第１直流電圧を生成する定電圧回路と、前記第１直流電圧が充電されるコンデンサとを備え、前記第１検出回路は、前記コンデンサの両端電圧を検出するように構成されていることが好ましい。
【００１８】
この調光装置において、前記設定部は、前記開閉部の導通角に対応する第２直流電圧を設定するための抵抗値を可変とする可変抵抗器を備え、前記出力回路は、前記可変抵抗器により設定された前記第２直流電圧を検出する第２検出回路を備え、前記出力回路は、前記第２検出回路により検出された前記第２直流電圧の電圧値が予め設定された第２閾値以下の場合、前記所定期間を、前記電圧値が前記第２閾値よりも大きい場合における前記所定期間よりも短くすることが好ましい。
【発明の効果】
【００１９】
本発明の調光装置では、前記出力回路が、前記ゼロクロス検出回路により前記交流電圧のゼロクロスが検出された時点から所定期間が経過した後、前記ＰＷＭ信号を前記駆動回路へ出力するように構成されている。これにより、本発明の調光装置では、例えば、前記交流電源と前記照明負荷との直列回路を前記一対の端子間に接続する場合、前記所定期間が経過するまで前記照明負荷に電流が流れ、この電流を前記電源部に供給することが可能となる。よって、本発明の調光装置においては、前記制御部の動作を安定させることが可能となり、照明負荷の点灯状態を、より安定して維持することが可能となる。
【図面の簡単な説明】
【００２０】
【図１】本実施形態の調光装置の回路図である。
【図２】本実施形態の調光装置に関し、交流電源の交流電圧の波形と出力回路からのＰＷＭ信号の波形とを示す図である。
【発明を実施するための形態】
【００２１】
以下、本実施形態の調光装置１０について、図１および図２を参照しながら説明する。
【００２２】
調光装置１０は、例えば、調光器である。調光器は、埋込型配線器具用の取付枠（図示せず）に取り付けられるように構成されている。
【００２３】
調光装置１０は、一対の端子１，２と、一対の端子１，２間に電気的に接続された開閉部３と、開閉部３を制御する制御部４と、制御部４に電力を供給する電源部５と、開閉部３の導通角を設定する設定部６とを備えている。開閉部３の導通角は、開閉部３が導通状態である期間に相当する。
【００２４】
一対の端子１，２間には、電源部５が電気的に接続されている。また、一対の端子１，２間には、交流電圧Ｖａを出力する交流電源３０と照明負荷３１との直列回路を電気的に接続することができる。交流電源３０は、例えば、商用電源である。照明負荷３１は、例えば、ＬＥＤ照明装置である。ＬＥＤ照明装置は、例えば、ＬＥＤ電球である。なお、調光装置１０は、交流電源３０と照明負荷３１とを構成要件として含まない。また、調光装置１０では、ＬＥＤ照明装置としてＬＥＤ電球を用いているが、これに限らない。ＬＥＤ照明装置は、例えば、ダウンライト、シーリングライトなどであってもよい。また、以下では、説明の便宜上、一対の端子１，２のうち一方の端子１を「第１入力端子１」と称し、他方の端子２を「第２入力端子２」と称する。
【００２５】
開閉部３は、ノーマリオフ型のスイッチング素子７を複数（本実施形態では、２つ）備えている。各スイッチング素子７は、例えば、ｎチャネルＭＯＳＦＥＴ（Metal Oxide Semiconductor Field Effect Transistor）である。
【００２６】
調光装置１０では、２つのスイッチング素子７，７が、互いのソース電極同士を接続して逆直列に接続されている。また、調光装置１０は、各スイッチング素子７としてｎチャネルＭＯＳＦＥＴを用いているが、これに限らない。各スイッチング素子７は、例えば、ＩＧＢＴ（Insulated Gate Bipolar Transistor）であってもよい。
【００２７】
制御部４は、開閉部３を制御することで照明負荷３１を逆位相制御するように構成されている。逆位相制御とは、交流電源３０の交流電圧Ｖａがゼロのときに各スイッチング素子７をオフ状態からオン状態にし、交流電源３０の交流電圧Ｖａがゼロ以外のときに各スイッチング素子７をオン状態からオフ状態にすることによって照明負荷３１に流れる電流（照明負荷３１に供給される電力）を制御することを意味する。
【００２８】
制御部４は、例えば、プログラムが搭載されたマイクロコンピュータである。プログラムは、例えば、マイクロコンピュータに予め設けられたメモリ（図示せず）に記憶されている。
【００２９】
制御部４は、２つのスイッチング素子７，７を駆動する駆動回路８と、交流電源３０の交流電圧Ｖａのゼロクロスを検出するゼロクロス検出回路９と、ＰＷＭ（Pulse Width Modulation）信号Ｓ１を駆動回路８へ出力する出力回路１１とを備えている。
【００３０】
駆動回路８は、例えば、各スイッチング素子７のオンオフを制御するように構成されている。駆動回路８は、各スイッチング素子７のゲート電極と電気的に接続されている。また、駆動回路８は、電源部５と電気的に接続されている。さらに、駆動回路８は、各スイッチング素子７のソース電極と電気的に接続されている。
【００３１】
ゼロクロス検出回路９は、電源部５と電気的に接続されている。また、ゼロクロス検出回路９は、出力回路１１と電気的に接続されている。さらに、ゼロクロス検出回路９は、各スイッチング素子７のソース電極と電気的に接続されている。
【００３２】
出力回路１１は、電源部５および設定部６それぞれと電気的に接続されている。また、出力回路１１は、駆動回路８と電気的に接続されている。さらに、出力回路１１は、各スイッチング素子７のソース電極と電気的に接続されている。
【００３３】
なお、調光装置１０では、制御部４としてマイクロコンピュータを用いているが、これに限らない。制御部４は、例えば、制御用ＩＣ（Integrated Circuit）であってもよい。また、制御部４は、例えば、ディスクリート部品を組み合わせて構成してもよい。
【００３４】
電源部５は、交流電源３０の交流電圧Ｖａを全波整流する整流回路１２と、整流回路１２により全波整流された電圧から第１直流電圧を生成する定電圧回路１３と、第１直流電圧を充電するコンデンサ１４とを備えている。コンデンサ１４は、例えば、電解コンデンサである。
【００３５】
整流回路１２は、例えば、ダイオードブリッジである。ダイオードブリッジにおける一対の入力端のうちの一方の入力端は、第１入力端子１と電気的に接続されている。ダイオードブリッジにおける一対の入力端のうちの他方の入力端は、第２入力端子２と電気的に接続されている。ダイオードブリッジにおける一対の出力端のうちの一方の出力端は、ゼロクロス検出回路９と電気的に接続されている。ダイオードブリッジにおける一対の出力端のうちの他方の出力端は、各スイッチング素子７のソース電極と電気的に接続されている。
【００３６】
定電圧回路１３は、例えば、３端子レギュレータである。３端子レギュレータの入力端子は、ダイオードブリッジにおける上記一方の出力端と電気的に接続されている。３端子レギュレータの出力端子は、コンデンサ１４の高電位側の端子と電気的に接続されている。３端子レギュレータのグランド端子は、各スイッチング素子７のソース電極と電気的に接続されている。また、３端子レギュレータのグランド端子は、コンデンサ１４の低電位側の端子と電気的に接続されている。なお、調光装置１０は、定電圧回路１３として３端子レギュレータを用いているが、これに限らない。定電圧回路１３は、例えば、ＤＣ−ＤＣコンバータであってもよい。
【００３７】
コンデンサ１４の高電位側の端子は、制御部４と電気的に接続されている。具体的に説明すると、コンデンサ１４の高電位側の端子は、ゼロクロス検出回路９、出力回路１１および駆動回路８それぞれと電気的に接続されている。
【００３８】
また、コンデンサ１４の高電位側の端子は、設定部６と電気的に接続されている。
【００３９】
設定部６は、可変抵抗器２０と、可変抵抗器２０のボリューム（図示せず）に取り付けられた操作部（図示せず）とを備えている。可変抵抗器２０は、開閉部３の導通角に対応する第２直流電圧を設定するための抵抗値を可変とするように構成されている。可変抵抗器２０は、例えば、３つの端子を備えたポテンショメータである。ポテンショメータは、分圧器として使用される。ポテンショメータは、２つの端子（以下、第１端子と第２端子）が抵抗素子の両端に接続され、残りの端子（以下、第３端子）が抵抗素子に沿って機械的に移動することができる摺動接点に接続されている。
【００４０】
ポテンショメータの第１端子は、コンデンサ１４の高電位側の端子と電気的に接続されている。ポテンショメータの第２端子は、各スイッチング素子７のソース電極と電気的に接続されている。ポテンショメータの第３端子は、出力回路１１と電気的に接続されている。調光装置１０では、可変抵抗器２０の抵抗値によって、第２直流電圧の電圧値が設定される。つまり、調光装置１０では、可変抵抗器２０の抵抗値によって、開閉部３の導通角の大きさが設定される。
【００４１】
調光装置１０では、上記メモリに、第２直流電圧の電圧値とＰＷＭ信号Ｓ１のオンデューティ比とが対応付けられたデータテーブル（図示せず）が、記憶されている。出力回路１１は、データテーブルに基づいて、第２直流電圧の電圧値に対応するＰＷＭ信号Ｓ１のオンデューティ比を決定するように構成されている。また、出力回路１１は、第２直流電圧の電圧値に対応するＰＷＭ信号Ｓ１のオンデューティ比を含むＰＷＭ信号Ｓ１を、駆動回路８へ出力するように構成されている。要するに、出力回路１１は、設定部６により設定された開閉部３の導通角に対応するオンデューティ比を含むＰＷＭ信号Ｓ１を駆動回路８へ出力するように構成されている。
【００４２】
調光装置１０では、上記操作部が操作されることによって、可変抵抗器２０の抵抗値が変更される。言い換えれば、調光装置１０では、上記操作部が操作されることによって、開閉部３の導通角の大きさが変更される。
【００４３】
なお、調光装置１０では、可変抵抗器２０としてロータリーポテンショメータを用いているが、これに限らない。可変抵抗器２０は、例えば、リニアポテンショメータであってもよい。
【００４４】
出力回路１１は、ゼロクロス検出回路９により交流電源３０の交流電圧Ｖａのゼロクロスが検出された時点（図２中のｔ０の時点）から所定期間Ｔ１が経過した後、ＰＷＭ信号Ｓ１を駆動回路８へ出力するように構成されている。図２中の縦軸のＶａは、交流電源３０の交流電圧を表している。図２中の縦軸のＳ１は、出力回路１１からのＰＷＭ信号を表している。図２中の各横軸は、時間を表している。図２中のｔ１は、開閉部３が遮断状態から導通状態になった時点を表している。図２中のｔ２は、開閉部３が導通状態から遮断状態になった時点を表している。
【００４５】
所定期間Ｔ１は、コンデンサ１４に第１直流電圧が充電される期間（コンデンサ１４の充電期間）に相当する。また、所定期間Ｔ１は、開閉部３が遮断状態から導通状態になるときに、開閉部３からノイズ（スイッチングノイズ）が発生するのを抑制するように設定されている。具体的に説明すると、所定期間Ｔ１は、照明負荷３１に流れる電流が小さいときに、開閉部３が遮断状態から導通状態になるように設定されている。
【００４６】
調光装置１０では、交流電源３０の交流電圧Ｖａがゼロクロスする時点から所定期間Ｔ１が経過した後、開閉部３が遮断状態から導通状態となる。つまり、調光装置１０では、交流電源３０の交流電圧Ｖａの絶対値がゼロ以外のときに、開閉部３が遮断状態から導通状態となる。これにより、調光装置１０では、交流電源３０の交流電圧Ｖａがゼロクロスする時点から所定期間Ｔ１が経過するまでの間、コンデンサ１４に第１直流電圧が充電される。よって、調光装置１０では、開閉部３が遮断状態から導通状態になったとき、特許文献１に記載された調光装置（以下、「従来例の調光装置」）に比べて、制御部４の動作を安定させることが可能となる。しかして、調光装置１０では、従来例の調光装置に比べて、照明負荷３１の点灯状態を、より安定して維持することが可能となる。また、調光装置１０では、従来例の調光装置に比べて、照明負荷３１の点灯状態を、より安定して維持することができるので、点灯状態を維持できる照明負荷３１の種類を増やすことが可能となる。
【００４７】
出力回路１１は、電源部５から出力された第１直流電圧を検出する第１検出回路１８を備えている。出力回路１１は、第１検出回路１８により検出された第１直流電圧の電圧値が予め設定された第１閾値以下の場合、所定期間Ｔ１を、第１直流電圧の電圧値が第１閾値よりも大きい場合における所定期間Ｔ１よりも長くすることが好ましい。これにより、調光装置１０では、制御部４が電源部５からの第１直流電圧を監視することが可能となり、制御部４の動作を、より安定させることが可能となる。なお、第１閾値は、例えば、上記メモリに記憶されていればよい。
【００４８】
また、出力回路１１は、可変抵抗器２０により設定された第２直流電圧を検出する第２検出回路１９を備えている。出力回路１１は、第２検出回路１９により検出された第２直流電圧の電圧値が予め設定された第２閾値以下の場合、所定期間Ｔ１を、第２直流電圧の電圧値が第２閾値よりも大きい場合における所定期間Ｔ１よりも短くすることが好ましい。これにより、調光装置１０では、照明負荷３１の調光レベルに応じて所定期間Ｔ１を変更することが可能となる。一例を挙げると、調光装置１０では、照明負荷３１の調光レベルが低い場合に、所定期間Ｔ１を、照明負荷３１の調光レベルが高い場合における所定期間Ｔ１よりも短くすることが可能となる。よって、調光装置１０では、照明負荷３１の調光レベルが低い場合に、照明負荷３１の調光レベルが高い場合に比べて、低ノイズ化を図ることが可能となる。なお、第２閾値は、例えば、上記メモリに記憶されていればよい。
【００４９】
調光装置１０では、照明負荷３１としてＬＥＤ照明装置を用いているが、これに限らない。照明負荷３１は、例えば、白熱電球であってもよい。白熱電球は、例えば、ハロゲン電球、クリプトン電球などであってもよい。
【００５０】
以上説明した本実施形態の調光装置１０は、一対の端子１，２と、一対の端子１，２間に接続された開閉部３と、開閉部３を制御する制御部４とを備えている。また、調光装置１０は、一対の端子１，２間に接続され制御部４に電力を供給する電源部５と、開閉部３の導通角を設定する設定部６とを備えている。開閉部３は、ノーマリオフ型のスイッチング素子７を備えている。制御部４は、スイッチング素子７を駆動する駆動回路８と、交流電圧Ｖａを出力する交流電源３０と照明負荷３１との直列回路が一対の端子１，２間に接続されたときに交流電圧Ｖａのゼロクロスを検出するゼロクロス検出回路９とを備えている。また、制御部４は、設定部６により設定された開閉部３の導通角に対応するオンデューティ比を含むＰＷＭ信号Ｓ１を駆動回路８へ出力する出力回路１１を備えている。制御部４は、開閉部３を制御することで前記照明負荷を逆位相制御するように構成されている。出力回路１１は、ゼロクロス検出回路９により交流電圧Ｖａのゼロクロスが検出された時点から所定期間Ｔ１が経過した後、ＰＷＭ信号Ｓ１を駆動回路８へ出力するように構成されている。これにより、調光装置１０では、従来例の調光装置に比べて、制御部４の動作を安定させることが可能となり、照明負荷３１の点灯状態を、より安定して維持することが可能となる。
【００５１】
出力回路１１は、電源部５から出力された電圧を検出する第１検出回路１８を備え、出力回路１１は、第１検出回路１８により検出された前記電圧の電圧値が予め設定された第１閾値以下の場合、所定期間Ｔ１を、前記電圧値が前記第１閾値よりも大きい場合における所定期間Ｔ１よりも長くすることが好ましい。これにより、調光装置１０では、制御部４が電源部５からの第１直流電圧を監視することが可能となり、制御部４の動作を、より安定させることが可能となる。
【００５２】
電源部５は、交流電圧Ｖａを全波整流する整流回路１２と、整流回路１２により全波整流された電圧から第１直流電圧を生成する定電圧回路１３と、第１直流電圧が充電されるコンデンサ１４とを備え、第１検出回路１８は、コンデンサ１４の両端電圧を検出するように構成されていることが好ましい。これにより、調光装置１０では、制御部４がコンデンサ１４の両端電圧を監視することが可能となり、制御部４の動作を、より安定させることが可能となる。
【００５３】
設定部６は、開閉部３の導通角に対応する第２直流電圧を設定するための抵抗値を可変とする可変抵抗器２０を備え、出力回路１１は、可変抵抗器２０により設定された前記第２直流電圧を検出する第２検出回路１９を備え、出力回路１１は、第２検出回路１９により検出された前記第２直流電圧の電圧値が予め設定された第２閾値以下の場合、所定期間Ｔ１を、前記電圧値が前記第２閾値よりも大きい場合における前記所定期間よりも短くすることが好ましい。これにより、調光装置１０では、照明負荷３１の調光レベルに応じて所定期間Ｔ１を変更することが可能となる。一例を挙げると、調光装置１０では、照明負荷３１の調光レベルが低い場合に、所定期間Ｔ１を、照明負荷３１の調光レベルが高い場合における所定期間Ｔ１よりも短くすることが可能となる。よって、調光装置１０では、照明負荷３１の調光レベルが低い場合に、照明負荷３１の調光レベルが高い場合に比べて、低ノイズ化を図ることが可能となる。
【符号の説明】
【００５４】
１  端子
２  端子
３  開閉部
４  制御部
５  電源部
６  設定部
７  スイッチング素子
８  駆動回路
９  ゼロクロス検出回路
１０  調光装置
１１  出力回路
１２  整流回路
１３  定電圧回路
１４  コンデンサ
１８  第１検出回路
１９  第２検出回路
２０  可変抵抗器
３０  交流電源
３１  照明負荷
Ｓ１  ＰＷＭ信号
Ｔ１  所定期間
Ｖａ  交流電圧
【図１】
2015198074.tif 000003
【図２】
2015198074.tif 000004